(57)【要約】【課題】複数の表示部の表示を融合させることにより、演出効果をより一層高める。【解決手段】遊技結果を表示するとともに演出表示を行う遊技結果表示手段は、第１表示手段（回転リール２ａ，２ｂ，２ｃ）と、遊技機を正面から見た場合に該第１表示手段の手前側に配設された第２表示手段（液晶表示装置１６）を含む。第２表示手段を制御するための第２表示制御手段は、第１表示手段の表示に関連して受信される表示関連情報信号、あるいは当選役に関連して受信される当選役情報信号に基づいて、第２表示手段において第１表示手段の表示態様と関連した表示制御を行う。【選択図】          図１
2004167246.tif 000002
【特許請求の範囲】
【請求項１】
遊技結果を表示するとともに演出表示を行う遊技結果表示手段と、
該遊技結果表示手段に特定の遊技結果が表示された場合に遊技者にとって有利な利益状態を発生させる利益状態発生手段と、
前記遊技結果表示手段における表示制御を行う表示制御手段と、
遊技開始を指令する遊技開始指令手段と、
該遊技開始指令手段からの遊技開始指令信号に応じて少なくとも１つの当選役を選択する当選役選択手段とを備えた遊技機において、
前記遊技結果表示手段は、第１表示手段と、遊技機を正面から見た場合に該第１表示手段の手前側に配設された第２表示手段を含むとともに、前記第２表示手段は、前記第１表示手段の表示を透過して表示可能な透過表示部を有し、
前記表示制御手段は、前記第１表示手段における表示を制御する第１表示制御手段と、前記第２表示手段における表示を制御する第２表示制御手段とを含み、
前記第２表示制御手段は、前記第１表示制御手段から、前記第１表示手段の表示態様に関する表示関連情報信号を受信可能である表示関連情報受信手段を含み、
前記表示関連情報受信手段により受信された表示関連情報信号に基づいて、前記第１表示手段に停止表示された図柄の停止表示位置に対応する位置に、前記第１表示手段の表示態様と関連した演出画像を可変表示することを特徴とする遊技機。
【請求項２】
前記透過表示部から、前記第２表示手段における前記透過表示部以外の不透過領域に前記演出画像を移動表示させることを特徴とする請求項１記載の遊技機。
【請求項３】
前記第２表示手段における前記透過表示部に可変表示させる表示パターンを複数有し、
前記表示パターンのうちの所定の表示パターンに基づく可変表示がなされた場合と、前記表示パターンのうちの該所定の表示パターンとは別の表示パターンに基づく可変表示がなされた場合とでは、前記当選役選択手段により選択された当選役が、特定の役である確率が互いに異なることを特徴とする請求項１又は２記載の遊技機。
【発明の詳細な説明】
【技術分野】
【０００１】
本発明は、遊技機に関し、特に多彩な表示を行うことができるようにした遊技機に関する。
【背景技術】
【０００２】
従来、パチスロ遊技機、スロットマシン、パチンコ機、ビデオゲームマシン等の遊技機においては、遊技の面白さを高めるために多彩な演出が行われていた。
例えば、従来のパチスロ遊技機では、複数の回転リールとは別にパチスロ遊技機の前面側に液晶表示器を配設し、この液晶表示器において遊技内容に関連した演出画像を表示していた。
【０００３】
また、遊技メダルの投入枚数に応じて有効となるラインを表示するために、ＥＬ（エレクトロルミネッセンス）ランプを用いたパチスロ遊技機に関する技術がある（特許文献１参照）。
【０００４】
【特許文献１】特開平１１−２４４４５３号公報
【発明の開示】
【発明が解決しようとする課題】
【０００５】
しかしながら、前記従来のパチスロ遊技機では、複数の回転リールと液晶表示器とが離れた位置に配設されているため、複数の回転リールを用いた表示に集中すると液晶表示器における表示を見落としてしまうおそれがあり、反対に液晶表示装置における表示に集中すると複数の回転リールを用いた表示を十分に楽しむことができないという問題があった。
【０００６】
また、複数の回転リールを用いた表示に関連させて液晶表示器における画像を表示しているとはいえ、複数の回転リールにおける図柄の変動表示と、液晶表示を用いた画像とを融合させたものではなく、演出効果を高めるためにはより一層の工夫が必要である。この点、複数の回転リールにおける図柄の変動表示と、液晶表示を用いた画像のように、複数の表示部の表示が融合した場合には、多彩な表示を行うことにより遊技に対する期待感を高めることができる等、遊技の面白さを今まで以上に向上させることが可能となる。
【０００７】
なお、他の種類の遊技機においても、上述した従来のパチスロ遊技機が有する課題と同様の課題を有しており、演出効果をより一層高めるための技術の開発が要望されていた。
【０００８】
本発明は、上述した事情に鑑み提案されたもので、複数の表示部の表示を融合させることにより、演出効果をより一層高めることが可能な遊技機を提供することを目的とする。
【課題を解決するための手段】
【０００９】
本発明に係る遊技機は、上述した目的を達成するため、以下の特徴点を備えている。
【００１０】
すなわち、本発明に係る遊技機は、遊技結果を表示するとともに演出表示を行う遊技結果表示手段と、
該遊技結果表示手段に特定の遊技結果が表示された場合に遊技者にとって有利な利益状態を発生させる利益状態発生手段と、
前記遊技結果表示手段における表示制御を行う表示制御手段と、
遊技開始を指令する遊技開始指令手段と、
該遊技開始指令手段からの遊技開始指令信号に応じて少なくとも１つの当選役を選択する当選役選択手段とを備えた遊技機において、
前記遊技結果表示手段は、第１表示手段と、遊技機を正面から見た場合に該第１表示手段の手前側に配設された第２表示手段を含むとともに、前記第２表示手段は、前記第１表示手段の表示を透過して表示可能な透過表示部を有し、
前記表示制御手段は、前記第１表示手段における表示を制御する第１表示制御手段と、前記第２表示手段における表示を制御する第２表示制御手段とを含み、
前記第２表示制御手段は、前記第１表示制御手段から、前記第１表示手段の表示態様に関する表示関連情報信号を受信可能である表示関連情報受信手段を含み、前記表示関連情報受信手段により受信された表示関連情報信号に基づいて、前記第１表示手段に停止表示された図柄の停止表示位置に対応する位置に、前記第１表示手段の表示態様と関連した演出画像を可変表示することを特徴とするものである。
【発明の効果】
【００１１】
遊技結果を表示するとともに演出表示を行う遊技結果表示手段と、
該遊技結果表示手段に特定の遊技結果が表示された場合に遊技者にとって有利な利益状態を発生させる利益状態発生手段と、
前記遊技結果表示手段における表示制御を行う表示制御手段と、
遊技開始を指令する遊技開始指令手段と、
該遊技開始指令手段からの遊技開始指令信号に応じて少なくとも１つの当選役を選択する当選役選択手段とを備えた遊技機において、
前記遊技結果表示手段は、第１表示手段と、遊技機を正面から見た場合に該第１表示手段の手前側に配設された第２表示手段を含むとともに、前記第２表示手段は、前記第１表示手段の表示を透過して表示可能な透過表示部を有し、
前記表示制御手段は、前記第１表示手段における表示を制御する第１表示制御手段と、前記第２表示手段における表示を制御する第２表示制御手段とを含み、
前記第２表示制御手段は、前記第１表示制御手段から、前記第１表示手段の表示態様に関する表示関連情報信号を受信可能である表示関連情報受信手段を含み、
前記表示関連情報受信手段により受信された表示関連情報信号に基づいて、前記第１表示手段に停止表示された図柄の停止表示位置に対応する位置に、前記第１表示手段の表示態様と関連した演出画像を可変表示するように構成されているので、
第１表示手段の表示と第２表示手段の表示とが融合した多彩な表示により遊技の面白さを一層向上させることが可能となる。
【発明を実施するための最良の形態】
【００１２】
以下、本発明に係る遊技機の実施形態について説明する。
【００１３】
＜遊技機の基本構成＞
本発明の実施形態に係る遊技機は、以下に説明する構成要素を備えている。
すなわち、本発明の実施形態に係る遊技機は、遊技結果を表示するとともに演出表示を行うための遊技結果表示手段と、該遊技結果表示手段に特定の遊技結果が表示された場合に遊技者にとって有利な利益状態を発生させるための利益状態発生手段と、前記遊技結果表示手段における表示制御を行うための表示制御手段とを備えている。
【００１４】
前記遊技結果表示手段は、第１表示手段と、該第１表示手段の遊技機前面側において該第１表示手段に重なるようにして配設された第２表示手段を含んでいる。
【００１５】
また、本発明の実施形態に係る遊技機は、遊技者による操作が可能な遊技開始指令手段と、該遊技開始指令手段の出力に基づいて遊技を開始するための遊技開始手段とを備えており、該遊技開始手段の作動毎に遊技結果表示手段が作動する。
【００１６】
また、本発明の実施形態に係る遊技機は、遊技者の操作に応じて遊技結果を導出するための遊技結果導出手段を有しており、該遊技結果導出手段の出力に基づいて、前記表示制御手段が前記遊技結果表示手段における表示制御を行う。
【００１７】
また、本発明の実施形態に係る遊技機は、前記遊技開始指令手段の出力に基づいて、複数の当選役から１又は複数の当選役を選択するための当選役選択手段を有しており、該当選役選択手段の出力に基づいて、前記表示制御手段が作動する。この場合、前記当選役選択手段における選択結果を報知するための当選役選択結果報知手段を備えることができる。該当選役選択結果報知手段における報知では、視覚的、聴覚的、嗅覚的、触覚的等、どのような報知方法を採用してもよい。
【００１８】
前記表示制御手段は、第１表示手段を制御するための第１表示制御手段と、第２表示手段を制御するための第２表示制御手段とを含んでいる。
【００１９】
前記第２表示制御手段は、前記第１表示制御手段から前記第１表示手段の表示態様に関する表示関連情報信号を受信可能である表示関連情報受信手段、又は前記当選役選択手段から当選役の選択結果に関する当選役情報信号を受信可能である当選役情報受信手段の少なくとも一方を含んでいる。そして、前記表示関連情報受信手段により受信した表示関連情報信号、あるいは前記当選役情報受信手段により受信した当選役情報信号に基づいて、前記第２表示手段において前記第１表示手段の表示態様と関連した表示制御を行う。なお、前記表示関連情報受信手段及び前記当選役情報受信手段を別個に構成するのではなく、１つの受信手段により前記表示関連情報及び前記当選役情報を受信するように構成してもよい。
【００２０】
前記第１表示制御手段の制御に基づいて第１表示手段に表示された画像は、前記第２表示制御手段の制御に基づいて第２表示手段に表示された画像と重合されて、遊技状態を表示可能となっている。ここで、前記第１表示手段と前記第２表示手段とを別体として設け、両者を所定の間隔を隔てて配設することができる。また、前記第１表示手段と前記第２表示手段とを一体的に構成することができる。
【００２１】
前記第１表示手段は、１又は複数の画像を可変表示するとともに停止可能な複数の図柄表示部を含んでいる。
【００２２】
前記第２表示手段は、前記第１表示手段の図柄表示部の領域に対応するようにして、図柄表示部に表示された図柄を透過表示可能な透過表示部を備えている。ここで、図柄表示部の数は特に限定されるものではなく、１つ、２つ、３つ等、いくつ設けてもよい。また、図柄表示部に表示される図柄数は特に限定されるものではなく、１つ、縦並びに３つ、横並びに３つ、斜めに３つ等、いくつであってもよい。また、前記第２表示手段は、複数の図柄表示部に跨るようにして設けてもよい。この場合、前記第２表示手段は、前記第１表示手段よりも大きな面積を有するように構成することができる。
【００２３】
前記第１表示制御手段は、前記第１表示手段において特定の題材、例えば特定のキャラクタに基づいた演出表示の制御を行うことができる。この場合、前記第２表示手段において前記特定の題材に基づいた演出表示の制御を行う通常状態と、前記特定の題材以外の題材に基づいた演出表示を行う特別状態とを切換可能とすることができる。そして、前記第２表示制御手段が前記特別状態に切り換えられている場合には、前記通常状態と比較して遊技者にとって有利な利益状態を高確率で発生させることができる。遊技者にとって有利な利益状態とは、前記利益状態発生手段により発生させる利益状態のことである。また、通常状態と比較した高確率とは、いたずらに遊技者の射幸心を煽るものでなければ、どのような確率に設定してもよい。
【００２４】
また、前記第２表示制御手段は、前記当選役選択手段により選択された当選役に対応する図柄が前記第１表示手段に停止表示された場合に、前記第２表示手段において前記図柄の停止表示位置に対応させて、前記図柄と同等の図柄を表示させる。例えば、第１表示手段に表示されたキャラクタに重ねて、第２表示手段に略同様のキャラクタを表示させることができる。
【００２５】
また、前記第２表示制御手段は、前記第２表示手段において前記第１表示手段の外形に対応した形状で図柄を表示させる制御を行うことができる。例えば、第１表示手段が回転リールである場合には、第２表示手段において略同様の回転リールを表示させることができる。
【００２６】
さらに、第１表示手段及び第２表示手段の他に、第３表示手段を備えて構成することもできる。この場合、前記第１表示手段、前記第２表示手段、及び第３表示手段の配設順序は、どのような順序であってもよい。
【００２７】
また、本発明の実施形態に係る遊技機は、前記第１表示手段と前記第２表示手段の少なくとも一方に特別遊技結果が表示された場合に、遊技者にとって有利な特別遊技状態を発生させるための特別遊技発生手段を備えている。ここで、該特別遊技発生手段と前記第２表示手段とを一体的に構成することができる。例えば、前記第２表示手段の演出表示において所定の条件が成立すると、前記第２表示手段における演出表示に重ねて前記図柄表示部に特定図柄を表示したり、あるいは前記図柄表示部に特定図柄が表示されないようにすることができる。
【００２８】
また、本発明の実施形態に係る遊技機は、第１表示手段を遊技機前面側から照明するための前方照明手段を備えるとともに、前記第１表示手段を遊技機背面側から照明するための後方照明手段を備えている。ここで、前記前方照明手段又は前記後方照明手段は、前記図柄表示部毎に設けることができる。
【００２９】
＜各手段等の具体例＞
次に、前記各手段等の具体例を説明する。なお、以下に示す具体例は、本発明に係る遊技機における各手段の一例であり、これらの具体例に限定されるものではない。
【００３０】
前記遊技機とは、例えば、パチスロ遊技機、パチンコ機（第１種、第２種、第３種）、アレンジボール遊技機、雀球遊技機、ビデオスロットゲームマシン、ビデオポーカゲームマシン、スロットマシン等、遊技結果を表示する遊技結果表示部とその遊技結果表示部に特定表示がなされた場合に、遊技者に有利な状態に遊技状態を変換制御する機能を有していればどのような遊技機であってもよい。
【００３１】
また、前記遊技結果表示手段とは、遊技結果を表示するための表示装置であり、第１表示手段及び第２表示手段とからなり、例えば、ＣＲＴ、ＬＣＤ、プラズマディスプレイ、７セグメント表示器、ドットマトリクス表示器、ランプ、ＬＥＤ、蛍光灯、ＥＬ（エレクトロルミネッセンス）表示器、回転リール、回転ディスク表示器、フレキシブルＬＥＤ、フレキシブル液晶表示器、液晶プロジェクタ等、どのような表示装置であってもよい。
【００３２】
前記遊技結果表示手段に表示される遊技結果とは、遊技開始指令手段の操作又は遊技結果導出手段の操作に応じて表示されるものであり、静止画像、動画像、あるいはこれらの組合せとして表示される。
【００３３】
弾球遊技機の場合の遊技結果は、遊技盤に設けられた所定の入賞口に遊技球又はコインなどの遊技媒体が入球又は通過した場合に表示されるものも含める。
【００３４】
前記利益状態発生手段により発生する利益状態とは、例えば、パチスロ遊技機においては、小役入賞、リプレイゲーム、フリーゲーム、アシストゲーム、リプレイ抽選高確率ゲーム、ＢＢ（ビッグボーナス）、ＲＢ（レギュラーボーナス）、ＳＢ（シングルボーナス）、ＡＴ（アシストタイム）、ＣＴ（チャレンジタイム）、等のことであり、またパチンコ機においては、小当たり（大入賞口の開放）、中当たり（大入賞口の開放）、大当たり（大入賞口が所定条件の充足により連続的に開放する状態）、当たり（図柄始動口の開放又は拡大）、特図確変（大当たり出現確率変動）、特図変短（特別図柄の変動時間短縮）、普図確変（当たりの出現確率変動）、普図変短（普通図柄の変動時間短縮）、普電開放延長（図柄始動口の開放又は拡大時間延長）、特電開放延長（大入賞口の開放又は拡大時間延長）等のことである。また、前記各利益状態を複合的に発生させてもよい。さらに、前記各利益状態の継続回数を増加させてもよい。
【００３５】
前記遊技開始指令手段とは、例えば、パチスロ遊技機におけるスタートスイッチ、ベットスイッチ、遊技媒体の投入等のことをいう。また、パチンコ機における遊技盤に設けられた所定の図柄始動口又は所定の図柄始動ゲート等のことをいう。
【００３６】
前記遊技開始手段とは、例えば、遊技を制御するための制御装置及びその制御プログラムのことをいう。
【００３７】
前記表示制御手段とは、例えば、表示制御装置及びその制御プログラムのことをいう。また、前記表示制御手段を、第１表示制御手段と第２表示制御手段とにより構成することもできる。ここで、例えば、第１表示手段が回転リールである場合には、第１表示制御手段とは、回転リールの回転及び停止を制御するための制御装置及びその制御プログラムのことをいう。また、例えば、第２表示手段が液晶表示装置である場合には、第２表示制御手段とは、ビデオプロセッサ等を有する制御装置及びその制御プログラムのことをいう。
【００３８】
前記表示関連情報受信手段及び前記当選役情報受信手段とは、例えば、前記第２表示制御手段である制御装置内に形成された受信回路及びその制御プログラムのことをいう。
【００３９】
前記遊技結果導出手段とは、例えば、パチスロ遊技機におけるストップスイッチのことをいう。この場合、ストップスイッチの数は特に限定されるものではない。
【００４０】
前記当選役選択手段とは、例えば、乱数抽選に基づいて「当選」を選択するための制御装置及びその制御プログラムのことをいう。この場合、「当選」には、「ハズレ」、「リプレイ」等、乱数抽選の結果として導出される種々の遊技状態を含む。
【００４１】
特別遊技発生手段とは、例えば、パチスロ遊技機において、「ビッグボーナス」、「レギュラーボーナス」等を発生させるための制御装置及びその制御プログラムのことをいい、また、パチンコ機において、「大当たり」、「特図確変」等を発生させるための制御装置及びその制御プログラムのことをいう。
【００４２】
前記第１表示手段とは、例えば、パチスロ遊技機における回転リールのことをいう。なお、回転リールが回転中には、所定の条件に基づいてストップスイッチが有効とならない場合がある。
【００４３】
前記第２表示手段とは、例えば、液晶表示装置のことをいう。この場合、液晶表示装置の所定領域には、回転リールの図柄表示を透過して表示可能な透過表示部を含んでいる。すなわち、該透過表示部以外の領域は、液晶表示装置のバックライトからの光線を拡散するための拡散部を有しており、一方、該透過表示部は、この拡散部を有していない。
【００４４】
前記第３表示手段とは、例えば、パチスロ遊技機におけるベット数表示器、演出専用回転リール等のことをいう。さらに、この第３表示手段を当選役選択結果報知手段として機能させることもできる。
【００４５】
また、各表示手段における表示とは、視覚的な表示に限られず、聴覚的な表示、嗅覚的な表示、ランプ点灯態様による表示、これらの表示を複合的に行う表示であってもよい。さらに、視覚的な表示を行う場合には、色彩、模様、形状、あるいはこれらを組み合わせて表示することができる。また、当選確率等を表示する場合には、その信頼度を変化させることができる。この場合、遊技に投入する遊技媒体数等に応じて信頼度を変化させてもよい。すなわち、遊技に投入した遊技媒体数が所定数以上である場合、あるいはクレジットされた遊技媒体数が所定数以上である場合には、信頼度を高めるような演出を行うことができる。
【００４６】
前記前方照明手段とは、例えば、パチスロ遊技機、パチンコ機において、回転リールを遊技機前方側から照明するためのランプ、ＬＥＤ等のことをいう。
【００４７】
前記後方照明手段とは、例えば、パチスロ遊技機、パチンコ機において、回転リールを内面側から照明するためのバックランプ等のことをいう。
【００４８】
また、前記各手段の動作は、所定の抽選結果に基づいて行われるように構成することができる。さらに、前記各手段の動作状態は、店員の操作、遊技者の操作、及び営業員の操作等に基づいて設定できるように構成してもよい。
【００４９】
また、現在主流のパチンコ機を補足的に説明すると、現在主流のパチンコ機は発射装置（図示せず）により遊技球を発射して遊技を行うための遊技盤を備えている。この遊技盤には、ガイドレールで囲まれた略円形の遊技部を備えており、遊技部内には、複数の障害釘や風車等の障害部材を配設するとともに、複数の特別図柄を変動表示するための特別図柄表示装置として機能する画像表示装置と、赤及び緑の２個の普通図柄表示ＬＥＤを内蔵する普通図柄表示装置と、複数の入賞口と、いずれの入賞口にも入賞しなかった遊技球を遊技部内から排出するためのアウト口とを備えている。
【００５０】
また、遊技球の入賞を条件として画像表示装置における図柄の変動表示を開始させるための特別図柄始動口と、遊技球の通過を条件として、普通図柄表示装置の変動表示を開始させるための普通図柄始動口とを備えている。
【００５１】
また、画像表示装置における図柄の停止表示態様が所定の賞態様を構成した場合に、所定時間及び所定回数だけ遊技球を受け入れ易い状態（例えば、大当たり状態、中当たり状態、小当たり状態等）に切り換えられる大入賞口を備えている。
【００５２】
また、普通図柄表示装置に所定の表示結果が表示されると、特別図柄始動口を開放又は拡大させる（例えば当たり状態等）。
【００５３】
なお、前記特別図柄が特定図柄（確率変動図柄）である場合には、当該特別遊技が終了した後の遊技において、「大当たり」となる確率が高くなる、いわゆる確率変動遊技が行なわれる。
この特定図柄（確率変動図柄）としては、例えば「０」〜「１１」の数字により表現される「大当たり」図柄のうちの奇数の図柄が特定図柄（確率変動図柄）となる。
【００５４】
＜パチスロ遊技機の外観＞
以下、図面を参照して、本発明に係る遊技機の具体的な実施形態を説明する。なお、以下に示す実施形態では、代表的な遊技機としてパチスロ遊技機を例にとって説明を行うが、本発明に係る遊技機はこれに限定されるものではない。
【００５５】
図１は、本発明の実施形態に係るパチスロ遊技機の外観を示す斜視図である。
本発明の実施形態に係るパチスロ遊技機は、図１に示すように、遊技機筐体１の前面のほぼ中央より上部に、遊技機筐体１内に配設した回転リール２ａ，２ｂ，２ｃの表面が臨む３個の表示窓３ａ，３ｂ，３ｃが横並びに設けられており、表示窓３ａ，３ｂ，３ｃの下方には、遊技に供する遊技メダルを投入するための遊技メダル投入口４、クレジットされた範囲内で遊技に供する遊技メダルを投入するためのベットスイッチ５、クレジットされた遊技メダルを払い出すための貯留メダル精算スイッチ６、回転リール２ａ，２ｂ，２ｃの回転を一斉に開始させるためのスタートスイッチ７、及び各回転リール２ａ，２ｂ，２ｃの回転を個別に停止させるための３個のストップスイッチ８ａ，８ｂ，８ｃ等が設けられている。
【００５６】
前記３個の表示窓３ａ，３ｂ，３ｃには、表示窓３ａ，３ｂ，３ｃを横断するようにして合計５本の有効ライン表示９ａ，９ｂ，９ｃ，９ｄ，９ｅが施されている。この有効ライン表示は、横３本の有効ライン表示９ｂ，９ｃ，９ｄ、及びこれらと交差する斜め２本の有効ライン表示９ａ，ｅからなり、遊技に供された遊技メダル数によって有効となるライン数が変化する。また、表示窓３ａの左側には、遊技に供された遊技メダル数と有効ライン表示９ａ，９ｂ，９ｃ，９ｄ，９ｅとの対応関係を表示するための３つの有効ラインランプ１０ａ，１０ｂ，１０ｃが設けられている。この有効ラインランプの前面には、例えば、「壱」、「弐」、「参」等の数字が表示されており、点灯した有効ラインランプ１０ａ，１０ｂ，１０ｃに対応して、投入した遊技メダル数及び有効ライン表示９ａ，９ｂ，９ｃ，９ｄ，９ｅが明示されるようになっている。さらに、有効ラインランプ１０ａ，１０ｂ，１０ｃの上下には、パチスロ遊技機における遊技情報を表示するための複数の表示ランプ１１ａ，１１ｂ，１１ｃが設けられている。この表示ランプ１１ａ，１１ｂ，１１ｃは、第３表示部として機能するもので、例えば、遊技メダルの投入許可、遊技開始許可、ボーナス遊技の内部当選、遊技禁止、打ち止め等、種々の表示に用いることができる。
【００５７】
前記遊技機筐体１の前面下部には、遊技メダルを払い出すための遊技メダル払出口１２が設けられているとともに、遊技メダル払出口１２に臨むようにして遊技メダルを貯留するための遊技メダル貯留皿１３が設けられている。また、遊技機筐体１の前面上部には、装飾部１４、及び一対のスピーカ１５ａ，１５ｂが設けられている。
【００５８】
なお、図示しないが、遊技機筐体１内には、所定の賞態様が構成された場合に遊技メダルを払い出すためのホッパが設けられている。
【００５９】
＜回転リール＞
回転リール２ａ，２ｂ，２ｃは、本実施形態において第１表示手段として機能する部材であり、横並びに３個配設されている。各回転リール２ａ，２ｂ，２ｃはそれぞれステッピングモータ等の駆動により回転する。また、各回転リール２ａ，２ｂ，２ｃは透光性を有する部材により構成されており、その表面には、透光性を有し複数の図柄が表示されたリールテープ（図示せず）が貼り付けられている。
【００６０】
なお、回転リール２ａ，２ｂ，２ｃの数は３個に限定されるものではなく、２個、４個等、何個配設されていてもよい。また、各回転リール２ａ，２ｂ，２ｃに表示される図柄の種類は特に限定されるものではなく、例えば、「７」、「ベル」、「オレンジ」、「チェリー」、「ＪＡＣ」、「ＢＡＲ」、「人物」、「動物」、「魚」、「乗り物」等、種々の図柄を採用することができる。
【００６１】
図２を参照して、回転リール２ａ，２ｂ，２ｃを説明する。図２は回転リール（２ａを代表させて示す）及び液晶表示装置１６の縦断面を示す模式図である。
【００６２】
この回転リール２ａは、図２に示すように、その内部に、回転リール２ａを内部から照明するための３個のバックライト１７ａ，１７ｂ，１７ｃが配設されている。なお、バックライトの数は３個に限られず、表示窓３ａ内に停止表示される図柄の個数に応じて、１個、２個、あるいは４個以上であってもよい。また、バックライト１７ａ，１７ｂ，１７ｃとしては、ランプ、ＬＥＤ等を用いることができる。
【００６３】
また、回転リール２ａ，２ｂ，２ｃの前方側には、液晶表示装置１６を背面側から照明するとともに、回転リール２ａ，２ｂ，２ｃを表面側から照明するための前方照明装置１８ａ，１８ｂが上下にそれぞれ１個ずつ配設されている。この前方照明装置１８ａ，１８ｂとしては、例えば、蛍光灯、ランプ、ＬＥＤ等を用いることができる。なお、前方照明装置１８ａ，１８ｂを上下に一対設けるのではなく、上側あるいは下側だけに設けてもよい。
【００６４】
＜液晶表示装置＞
液晶表示装置１６は、本実施形態において第２表示手段として機能する部材であり、図２に示すように、回転リール２ａ，２ｂ，２ｃに対してパチスロ遊技機の前面側に位置するように重ねて配設されている。
【００６５】
図３及び図４を参照して、液晶表示装置１６を説明する。図３は液晶表示装置１６を縦断面とした模式図、図４は液晶表示装置１６を正面から見た状態の模式図である。
【００６６】
液晶表示装置１６は、図３に示すように、パチスロ遊技機の前方側から順に、液晶パネル１９、導光板２０、及び反射板２１が配設されており、導光板２０の上下には、蛍光灯、ランプ、ＬＥＤ等からなる光源２２ａ，２２ｂが配設されている。
【００６７】
また、図４に示すように、回転リール２ａ，２ｂ，２ｃの表示窓３ａ，３ｂ，３ｃに対応する部分は、回転リール２ａ，２ｂ，２ｃの外周表面に描かれた図柄を透過表示可能な透過表示部２３ａ，２３ｂ，２３ｃとなっている。すなわち、透過表示部２３ａ，２３ｂ，２３ｃ以外の不透過領域２４は、前方照明装置１８ａ，１８ｂからの光線を拡散するための拡散部を有しており、一方、透過表示部２３ａ，２３ｂ，２３ｃはこの拡散部を有していない。さらに、液晶表示装置１６の全体は、導光板２０の上下に配設した光源２２ａ，２２ｂにより照明される。
【００６８】
本実施形態に係る液晶表示装置１６では、透過表示部２３ａ，２３ｂ，２３ｃを通して回転リール２ａ，２ｂ，２ｃに表示される図柄を視認することができ、さらに、透過表示部２３ａ，２３ｂ，２３ｃ及び不透過領域２４を含む画面全体に演出画像を表示することができる。
【００６９】
＜主制御基板及び表示制御装置＞
図５を参照して、回転リール２ａ，２ｂ，２ｃにおける表示制御を行うための主制御基板、及び液晶表示装置１６の画面における表示制御を行うための表示制御装置５０について説明する。図５は主制御基板６０及び表示制御装置５０の構成を示すブロック図である。
【００７０】
本実施形態に係るパチスロ遊技機を制御するための制御装置は、主制御基板６０と、主制御基板６０の制御の下に、液晶表示装置１６の画面における表示制御、スピーカ１５ａ，１５ｂからの音声の発生、及びランプ７０の点灯・点滅等の制御を行う表示制御装置５０とを備えている。ここで、主制御基板６０が第１表示制御手段として機能し、表示制御装置５０が第２表示制御手段として機能する。
【００７１】
表示制御装置５０は、図５に示すように、主制御基板６０と接続されたサブＣＰＵ５１により制御が行われる装置で、制御プログラム等を記憶したＲＯＭ５２、一時記憶領域であるＲＡＭ５３を備えている。また、液晶表示装置１６の画面における表示制御を行う部分として、ＶＤＰ（ビデオプロセッサ）５４、ＶＲＡＭ（ビデオＲＡＭ）５５、及びＣＲＯＭ（キャラクタＲＯＭ）５６を備えており、サブＣＰＵ５１の制御の下にＶＤＰ５４が動作して液晶表示装置１６の画面における表示制御が行われる。さらに、スピーカ１５ａ，１５ｂから発生する音声を制御するための部分として、音源ＩＣ５７、ＳＲＡＭ（サウンドＲＡＭ）５８を備えており、サブＣＰＵ５１の制御の下に音源ＩＣ５７が動作してスピーカ１５ａ，１５ｂから効果音等が発生される。さらに、サブＣＰＵ５１は、ランプ７０の点灯・点滅等の制御も行う。なお、図５に示すランプ７０とは、パチスロ遊技機に搭載された種々のランプ、ＬＥＤ等のように、装飾及び演出に用いられる光源部の総称である。
【００７２】
主制御基板６０には、回転リール２ａ，２ｂ，２ｃの回転を制御するためのモータ駆動回路８０、回転リール位置検出回路９０、及び回転リール停止信号回路１００が接続されている。
【００７３】
モータ駆動回路８０は、回転リール２ａ，２ｂ，２ｃをそれぞれ駆動するためのステッピングモータ１１０ａ，１１０ｂ，１１０ｃを制御するための回路である。また、回転リール位置検出回路９０は、回転リール２ａ，２ｂ，２ｃの回転位置を検出するための回路である。また、回転リール停止信号回路１００には、ストップスイッチ８ａ，８ｂ，８ｃが接続されており、ストップスイッチ８ａ，８ｂ，８ｃが操作されると、主制御基板６０に対して回転リール停止信号を送信する。
【００７４】
主制御基板６０では、回転リール位置検出回路９０により検出された回転リール２ａ，２ｂ，２ｃの回転位置に基づいてモータ駆動回路８０を制御し、回転リール２ａ，２ｂ，２ｃの回転及び停止を制御する。そして、回転リール停止信号回路１００からの回転リール停止信号を受信すると、モータ駆動回路８０及び回転リール位置検出回路９０を制御して、回転リール２ａ，２ｂ，２ｃを所望の位置に停止させる。
【００７５】
なお、回転リール２ａ，２ｂ，２ｃの停止制御は、所定の抽選結果に基づく場合と、抽選結果とは関係なく遊技者によるストップスイッチ８ａ，８ｂ，８ｃの操作のみに基づく場合とがある。
【００７６】
また、図示しないが、主制御基板６０には、種々の制御を行うための複数のスイッチ等が接続されている。
【００７７】
＜表示制御装置における制御手順＞
図６〜図１０を参照して、表示制御装置５０における画像表示処理の手順を説明する。図６は表示制御装置５０における画像表示処理の手順を示すフローチャート、図７は主割込処理の手順を示すフローチャート、図８はＶＤＰ割込処理の手順を示すフローチャート、図９は同期割込処理の手順を示すフローチャート、図１０はタイマ割込処理の手順を示すフローチャートである。
【００７８】
表示制御装置５０における画像表示処理では、図６に示すように、サブＣＰＵ５１、ＲＡＭ５３等の初期化を行い（Ｓ１）、バッファに対してチェックサムを算出してバックアップを行い（Ｓ２）、チェックサムが不正であった場合には、バックアップしたバッファを復帰させる（Ｓ３）。
【００７９】
続いて、コマンド処理（Ｓ４）を行い、バッファが完成しているか否かを判断する（Ｓ５）。ここで、バッファが完成していない場合には、データ更新処理（Ｓ６）を行うとともに、取得したデータをバッファとして蓄積する（Ｓ７）。
【００８０】
一方、バッファが完成している場合には、タイマフラグがオンとなっているか否かを判断し（Ｓ８）、タイマフラグがオンとなって画面更新の準備が整っていれば、ＶＤＰフラグがオンとなっているか否かを判断する（Ｓ９）。
【００８１】
ここで、ＶＤＰフラグがオンとなって描画準備が整っていれば、タイマフラグ及びＶＤＰフラグをリセットし（Ｓ１０，Ｓ１１）、バッファをＶＤＰ５４へ送信した後（Ｓ１３）、バッファをクリアする（Ｓ１４）。
【００８２】
なお、タイマフラグがオンとなっていない場合には、ステップＳ９の処理は行われず、また、ＶＤＰフラグがオンとなっていない場合には、ステップＳ１０〜ステップＳ１４の処理は行われない。
【００８３】
続いて、バッファに対してチェックサムを算出してバックアップを行い（Ｓ１５）、ステップＳ３の処理へ戻り、以降の処理を繰り返して行う。
この画像表示処理に対しては、種々の割込処理がなされる。
【００８４】
主制御基板６０からの主割込処理は、表示制御装置５０に対して制御コマンドを送信するための割込処理で、図７に示すように、コマンド記憶が行われる（Ｓ２１）。なお、パチスロ遊技機の場合には、ストローブ信号が２０ｍｓｅｃと比較的長いため、主割込処理を行わずに、画像表示処理におけるコマンド処理（Ｓ４）において主制御基板６０からの信号を取り込んでもよい。
【００８５】
ＶＤＰ割込処理は、ＶＤＰ５４における描画準備が整った旨を通知するための割込処理で、図８に示すように、ＶＤＰフラグがセットされる（Ｓ３１）。画像表示制御処理では、このＶＤＰフラグに基づいてステップＳ９の判断処理が行われる。
【００８６】
同期割込処理は、液晶表示装置１６の画面における描画タイミングを制御するための割込処理で、図９に示すように、１０００／６０ｍｓ毎にタイマフラグがセットされる（Ｓ４１）。画像表示制御処理では、このタイマフラグに基づいてステップＳ８の判断処理が行われる。本実施形態では、液晶表示装置１６の画面において１０００／３０ｍｓ毎に描画が行われ画像が変化するようになっている。
【００８７】
タイマ割込処理は、ソフト的にタイマを更新するための割込処理で、図１０に示すように、２ｍｓ毎にカウンタ更新が行われる（Ｓ５１）。なお、タイマ割込処理のタイミングは２ｍｓに限られず、例えば２ｍｓ〜１０ｍｓの範囲内のいずれかの値であってもよい。
【００８８】
＜回転リール及び液晶表示装置における表示例＞
図１１〜図１５を参照して、第１表示手段である回転リール２ａ，２ｂ，２ｃ及び第２表示手段である液晶表示装置１６の画面における具体的な表示例について説明する。図１１は表示例のパターン１を示す説明図、図１２は表示例のパターン２を示す説明図、図１３は表示例のパターン３を示す説明図、図１４は表示例のパターン４を示す説明図、図１５は表示例のパターン５を示す説明図である。
【００８９】
なお、図１１〜図１５において、図中の下矢印は回転リール２ａ，２ｂ，２ｃが回転して図柄が変動中であることを示し、黒丸で表示されるストップスイッチ８ａ，８ｂ，８ｃは停止操作が行われていない状態を示し、白丸で表示されるストップスイッチ８ａ，８ｂ，８ｃは停止操作が行われた後の状態を示す。
【００９０】
表示例のパターン１は、回転リール２ａ，２ｂ，２ｃに表示される図柄と、液晶表示装置１６の画面に表示される図柄とをほぼ同様なものとするとともに、ビッグボーナスが内部当選した旨を告知するようにしたものである。
【００９１】
すなわち、表示例のパターン１は、図１１に示すように、回転リール２ａ，２ｂ，２ｃが停止した状態から（ａ）、遊技に供する遊技メダルが投入される等、遊技の開始条件が整った後にスタートスイッチ７が操作されると、３つの回転リール２ａ，２ｂ，２ｃの回転が開始し、複数の図柄が縦方向に変動表示される。このとき、主制御基板６０において当選役の抽選が行われる。
【００９２】
そして、ビッグボーナスに内部当選すると、液晶表示装置１６の画面に、回転リール２ａ，２ｂ，２ｃを模した演出表示が立体的に表示されるとともに、各回転リール２ａ，２ｂ，２ｃにおいてビッグボーナスとなる図柄を停止させるべき有効ラインの位置に重なるようにして、各回転リール２ａ，２ｂ，２ｃとほぼ同様な図柄が表示される（ｂ）。
【００９３】
ここで、液晶表示装置１６の画面に表示される模擬的な回転リールは、左右に広がりを見せるようにして立体的に表現される。
【００９４】
続いて、液晶表示装置１６の画面に表示される模擬的な回転リールにおいて図柄の変動表示が開始され（ｃ）、所定の順序、例えば、左側、右側、中央の順に模擬的な回転リールにおける図柄が停止表示される（ｄ，ｅ）。このような演出表示が行われるとともに、所定時間が経過するとストップスイッチ８ａ，８ｂ，８ｃが有効化される。
【００９５】
続いて、液晶表示装置１６の画面における模擬的な回転リールの表示が終了し、透過表示部２３ａ，２３ｂ，２３ｃに実際の各回転リール２ａ，２ｂ，２ｃが表示される（ｆ）。そして、各ストップスイッチ８ａ，８ｂ，８ｃが操作されると、各ストップスイッチ８ａ，８ｂ，８ｃに対応した各回転リール２ａ，２ｂ，２ｃが停止する（ｇ）。
【００９６】
ここでは、ストップスイッチ８ａ，８ｂ，８ｃが有効化されるのに続いて、模擬的な回転リールの表示が終了しているが、各ストップスイッチ８ａ，８ｂ，８ｃの１部又は全ての操作が行われるまで模擬的な回転リールを表示していてもよいし、１又は複数の透過表示部２３ａ，２３ｂ，２３ｃに、又はそれら透過表示部２３ａ，２３ｂ，２３ｃに跨って表示していた模擬的な回転リールの画像を、別の表示部、例えば透過表示部２３ａ，２３ｂ，２３ｃ以外の表示部に移動するようにしてもよい。これらの場合、第１表示手段の表示と第２表示手段の表示を両方楽しむことができるので、著しく演出効果を高めることができる。
【００９７】
また、模擬的な回転リールを、遊技開始指令手段からの複数回の遊技開始指令信号に亘って、第２表示手段に表示してもよい。この場合には、１ゲームの間だけでなく、所定の又は特定の利益状態の発生に対する期待感を、持続して遊技者に持たせることができる。
【００９８】
図１１（ｇ）に示す例では、中央横ラインに男性のキャラクタ（ドンチャン）が３つ並んで停止表示されたため、ビッグボーナスが開始する。
【００９９】
なお、ビッグボーナスに内部当選した場合であっても、ストップスイッチ８ａ，８ｂ，８ｃの操作タイミング、あるいはストップスイッチ８ａ，８ｂ，８ｃの押し順に応じて、ビッグボーナスの発生を制御するように構成してもよい。
【０１００】
表示例のパターン２は、前記パターン１と同様に、回転リール２ａ，２ｂ，２ｃに表示される図柄と、液晶表示装置１６の画面に表示される図柄とをほぼ同様なものとするとともに、ビッグボーナスが内部当選した旨を告知するようにしたものであるが、液晶表示装置１６の画面に表示される模擬的な回転リールの表現方法が異なっている。
【０１０１】
すなわち、表示例のパターン２は、図１２に示すように、液晶表示装置１６の画面に表示される模擬的な回転リールは、左側へ向かって傾くようにして立体的に表現される。
【０１０２】
その他の制御手順は、上記表示例のパターン１の場合と同様である。すなわち、パターン２において、図１２（ａ）〜（ｇ）に示す表示は、それぞれ図１１（ａ）〜（ｇ）に示す表示に対応している。
【０１０３】
表示例のパターン３は、回転リール２ａ，２ｂ，２ｃに表示される図柄と、液晶表示装置１６の画面に表示される図柄とを異ならせるとともに、ビッグボーナスが内部当選した旨を告知するようにしたものである。
【０１０４】
すなわち、表示例のパターン３は、図１３に示すように、回転リール２ａ，２ｂ，２ｃが停止した状態から（ａ）、遊技に供する遊技メダルが投入される等、遊技の開始条件が整った後にスタートスイッチ７が操作されると、３つの回転リール２ａ，２ｂ，２ｃの回転が開始し、複数の図柄が縦方向に変動表示される。このとき、主制御基板６０において当選役の抽選が行われる。
【０１０５】
そして、ビッグボーナスに内部当選すると、液晶表示装置１６の画面に、回転リール２ａ，２ｂ，２ｃを模した演出表示が立体的に表示されるとともに、各回転リール２ａ，２ｂ，２ｃにおいてビッグボーナスとなる図柄を停止させるべき有効ラインの位置に重なるようにして、各回転リール２ａ，２ｂ，２ｃとほぼ同様な図柄が表示される（ｂ）。
【０１０６】
ここで、液晶表示装置１６の画面に表示される模擬的な回転リールは、左右に広がりを見せるようにして立体的に表現される。
【０１０７】
続いて、液晶表示装置１６の画面に表示される模擬的な回転リールにおいて図柄の変動表示が開始され（ｃ）、所定の順序、例えば、左側、右側、中央の順に模擬的な回転リールにおける図柄が停止表示される（ｄ，ｅ）。このような演出表示が行われるとともに、所定時間が経過するとストップスイッチ８ａ，８ｂ，８ｃが有効化される。
【０１０８】
なお、パターン３では、模擬的な回転リールに停止表示される図柄は、実際の回転リール２ａ，２ｂ，２ｃに表示されるものとは異なっており、鷹のキャラクタ（クランキーコンドル）となっている。
【０１０９】
続いて、液晶表示装置１６の画面における模擬的な回転リールの表示が終了し、透過表示部２３ａ，２３ｂ，２３ｃに実際の各回転リール２ａ，２ｂ，２ｃが表示される（ｆ）。そして、各ストップスイッチ８ａ，８ｂ，８ｃが操作されると、各ストップスイッチ８ａ，８ｂ，８ｃに対応した各回転リール２ａ，２ｂ，２ｃが停止する（ｇ）。
【０１１０】
図１３（ｇ）に示す例では、中央横ラインに男性のキャラクタ（ドンチャン）が３つ並んで停止表示されたため、ビッグボーナスが開始する。
【０１１１】
なお、パターン１及びパターン２と同様に、ビッグボーナスに内部当選した場合であっても、ストップスイッチ８ａ，８ｂ，８ｃの操作タイミング、あるいはストップスイッチ８ａ，８ｂ，８ｃの押し順に応じて、ビッグボーナスの発生を制御するように構成してもよい。
【０１１２】
表示例のパターン４は、前記パターン３と同様に、回転リール２ａ，２ｂ，２ｃに表示される図柄と、液晶表示装置１６の画面に表示される図柄とを異ならせるとともに、ビッグボーナスが内部当選した旨を告知するようにしたものであるが、液晶表示装置１６の画面に表示される模擬的な回転リールの表現方法が異なっている。
【０１１３】
すなわち、表示例のパターン４は、図１４に示すように、液晶表示装置１６の画面に表示される模擬的な回転リールは、左側へ向かって傾くようにして立体的に表現される。
【０１１４】
その他の制御手順は、上記表示例のパターン３と同様である。すなわち、パターン４において、図１４（ａ）〜（ｇ）に示す表示は、それぞれ図１３（ａ）〜（ｇ）に示す表示に対応している。
【０１１５】
なお、パターン３及びパターン４において、液晶表示装置１６の画面に表示される図柄は、実際の回転リール２ａ，２ｂ，２ｃに表示される図柄と全く異なるように構成してもよい。
【０１１６】
表示例のパターン５は、回転リール２ａ，２ｂ，２ｃに表示される図柄に重ねて、液晶表示装置１６の画面において関連する図柄を表示して演出表示を行うとともに、当選役が発生した旨を告知するようにしたものである。なお、図１５に示す例では、演出表示として火山のキャラクタ３０ａ，３０ｂ，３０ｃ，３０ｄが表示される。
【０１１７】
すなわち、表示例のパターン５は、図１５に示すように、回転リール２ａ，２ｂ，２ｃが停止した状態から、遊技に供する遊技メダルが投入される等、遊技の開始条件が整った後にスタートスイッチ７が操作されると、３つの回転リール２ａ，２ｂ，２ｃの回転が開始し、複数の図柄が縦方向に変動表示される（ａ）。このとき、主制御基板６０において当選役の抽選が行われる。ここでは、所定の当選役（例えば「火山」役）に内部当選したものとする。
【０１１８】
続いて、所定時間が経過するとストップスイッチ８ａ，８ｂ，８ｃが有効化され、左側のストップスイッチ８ａが操作されると、左側の回転リール２ａが停止する（ｂ）。図１５（ｂ）に示す例では、左側の回転リール２ａにおいて、上段に火山のキャラクタ３０ａが停止表示されている。
【０１１９】
続いて、中央のストップスイッチ８ｂが操作されると、中央の回転リール２ｂが停止する（ｃ）。図１５（ｃ）に示す例では、中央の回転リール２ｂにおいて、中段に火山のキャラクタ３０ａが停止表示されている。この状態では、右側の回転リール２ｃにおいて、下段に火山のキャラクタ３０ａが停止表示されると、左上から右下への斜めラインにおいて当選役が成立するいわゆる、テンパイ状態となる。
【０１２０】
続いて、右側のストップスイッチ８ｃが操作されると、右側の回転リール２ｃが停止する（ｄ）。図１５（ｄ）に示す例では、右側の回転リール２ｃにおいて、下段に火山のキャラクタ３０ａが停止表示されているので左上から右下への斜めラインにおいて当選役が成立したこととなる。
【０１２１】
続いて、当選役が成立したことを遊技者に告知する演出表示として、液晶表示装置１６において、火山が徐々に噴火するような演出表示が行われる。すなわち、液晶表示装置１６において、キャラクタ３０ａに重ねて火山から少し噴煙等が噴出した状態が表示されてキャラクタ３０ｂとなり（ｅ）、続いて、キャラクタ３０ａに重ねて火山からさらに噴煙等が噴出した状態が表示されてキャラクタ３０ｃとなり（ｆ）、続いて、キャラクタ３０ａに重ねて火山から猛烈に噴煙等が噴出した状態が表示されてキャラクタ３０ｄとなる（ｇ）。そして、液晶表示装置１６における演出表示が終了して、最終的に火山の噴火が収まった状態のキャラクタ３０ａが表示される（ｈ）。
【０１２２】
なお、所定の当選役に内部当選した場合であっても、ストップスイッチ８ａ，８ｂ，８ｃの操作タイミング、あるいはストップスイッチ８ａ，８ｂ，８ｃの押し順に応じて、当該当選役の発生を制御するように構成してもよい。
【０１２３】
このように、液晶表示装置１６の画面において、内部当選した当選役に対応する図柄を表示することにより、ビッグボーナス等が発生することへの期待感を高めて、遊技の面白さを向上させることができる。さらに、当選役が成立した場合に、当該当選役が成立した図柄に重ねて、当該図柄が動作するような演出表示を行うことにより、当選役が成立したことへの喜びが増して、遊技の面白さを向上させることができる。
【０１２４】
また、液晶表示装置１６の画面に、実際の回転リール２ａ，２ｂ，２ｃに対応した形状で図柄を表示させることにより、遊技者は違和感なく演出表示を楽しむことができる。
【０１２５】
また、実際の回転リール２ａ，２ｂ，２ｃを用いた表示から液晶表示装置１６の画面における模擬的な回転リールの表示へ移行する際、あるいは液晶表示装置１６の画面における模擬的な回転リールの表示から実際の回転リール２ａ，２ｂ，２ｃを用いた表示へ移行する際に、ラスタ、モーフィング、クロスフェード、拡大、縮小等の特殊な演出効果を持たせるようにすることもできる。
【０１２６】
また、パターン１及びパターン２のような表示が行われた場合と、パターン３及びパターン４のような表示が行われた場合とで、ビッグボーナスの発生確率を異ならせるように構成することができる。
【０１２７】
すなわち、パターン１及びパターン２のような表示が行われた場合には、ほぼ確実にビッグボーナスを発生させ、一方、パターン３及びパターン４のような表示が行われた場合には、必ずビッグボーナスが発生するとは限らないようにする。
【０１２８】
このように、液晶表示装置１６の画面において、回転リール２ａ，２ｂ，２ｃに表示される特定の図柄（題材）に基づいた演出表示の制御を行う通常状態と、特定の題材以外の題材に基づいた演出表示を行う特別状態とを切換可能とすることにより、演出効果を高めて遊技の面白さを向上させることができる。
【０１２９】
また、上記各表示例のパターンにおける説明とは異なるが、ビッグボーナスゲームあるいは他の当選役に内部当選した場合に限らず、ビッグボーナスゲームあるいは他の当選役に非当選の場合にも、上記各パターンの表示を行うように構成してもよい。この場合、各パターン毎にビッグボーナス等の発生に対する信頼度を異ならせて告知することができる。例えば、パターン１の表示が行われた場合には、１００％の信頼度でビッグボーナス等が発生し、パターン２の表示が行われた場合には、５０％の信頼度でビッグボーナス等が発生し、パターン３の表示が行われた場合には、２０％の信頼度でビッグボーナス等が発生し、パターン４の表示が行われた場合にはビッグボーナス等が発生しないように構成して、ビッグボーナス等の発生に対する信頼度を告知することができる。
【０１３０】
このような構成とすることにより、ビッグボーナス等が発生することへの遊技者の期待感を高めて、遊技の面白さを向上させることができる。
【０１３１】
さらに、上述した各演出表示は、ＡＴ（アシストタイム）等の特定の利益状態が発生している場合にのみ行うように構成してもよい。特にＡＴにおいて上記演出表示を行う場合には、液晶表示装置１６の画面において、停止させるべき図柄番号を表示するように構成してもよい。ここで、図柄番号とは、各回転リール２ａ，２ｂ，２ｃに表示される複数の図柄にそれぞれ対応した番号のことである。この場合、遊技者は、パチスロ遊技機の装飾部、遊技店内の案内表示、攻略本等に示された図柄番号対応表等に基づいて図柄番号を知ることができる。
【０１３２】
＜図柄等を立体的に見せるための表示方法＞
図柄等を立体的に見せるためには、仮想的なカメラ位置とフォーカス位置とを割り当て、仮想的なカメラ位置からフォーカス位置に向かって遠近感を生じさせる手法を利用する。
【０１３３】
ここで、図柄等が立体的に見える状態とは、図柄等が遠方に見える状態、あるいは図柄等が飛び出して見える状態のことをいう。
【０１３４】
具体的には、所定のプログラムを用いた演算処理により、モデル空間をビューポートと称される窓を通して見るような状態とすることにより遠近感を生じさせることができる。この場合、カメラ位置（ビューポート）は、常に原点に置かれているようにすることができる。また、フォーカス位置を指定せずに、カメラ位置からのベクトルを指定し、当該ベクトルの方向に図柄等が位置するように構成することができる。また、モデル空間、ビューポート、ベクトル、及び拡大率を指定すると、遠近感を有する演出画像を演算して生成する画像生成手段を備えて構成することもできる。
【０１３５】
なお、フォーカス位置を決定するに当たって、回転リール２ａ，２ｂ，２ｃにおける表示を制御するための表示制御手段から、液晶表示装置１６の画面における表示を制御するための表示制御手段に対して情報信号を送信して、情報信号に基づいて前記フォーカス位置を決定してもよい。
【０１３６】
さらに具体的に説明すると、代表的な遠近法描画技術として、以下の３つの方法が考えられる。
【０１３７】
第１の方法は、スプライトの４頂点変形を利用する方法である。すなわち、第１の方法では、所定のスプライトに表示する図形を指定し、仮想的な消失点を考慮して該消失点に対して遠近法が成立するように、そのスプライトの４つの頂点位置を変化させることにより、図形に遠近感を持たせる。
【０１３８】
第２の方法は、図形、消失点、及び奥行きを指定する方法である。すなわち、第２の方法では、断面形状と該断面形状の位置、該断面形状に対応する消失点、及び該断面形状の奥行きを指定することにより、図形に遠近感を持たせる。
【０１３９】
第３の方法は、モデル空間、ビューポート、ベクトル、及び角度又は消失点を指定する方法である。すなわち、第３の方法では、モデル空間に１又は複数の物体を３次元でモデリングし、該モデリング空間を遊技者に視認させる位置と方向及び縮尺を指定するとともに消失点を指定することにより、図形に遠近感を持たせる。
【０１４０】
このような構成とすることにより、回転リール２ａ，２ｂ，２ｃにおける表示と液晶表示装置１６の画面における表示との関係がより密接なものとなり、演出効果を高めることができる。
【０１４１】
また、フォーカス位置を複数割り当てることも可能である。このような構成とすることにより、複雑な演出表示を行うことができ、遊技の面白さをさらに高めることができる。
【０１４２】
＜他の実施形態＞
また、本発明に係る遊技機は、遊技結果を表示するとともに演出表示を行う遊技結果表示手段と、
該遊技結果表示手段に特定の遊技結果が表示された場合に遊技者にとって有利な利益状態を発生させる利益状態発生手段と、
前記遊技結果表示手段における表示制御を行う表示制御手段と、
遊技開始を指令する遊技開始指令手段と、
該遊技開始指令手段からの遊技開始指令信号に応じて、複数の当選役の中から少なくとも１つの当選役を選択する当選役選択手段とを備えた遊技機において、
前記遊技結果表示手段は、第１表示手段と、遊技機を正面から見た場合に該第１表示手段の手前側に配設された第２表示手段を含むとともに、前記第２表示手段は、前記第１表示手段の表示を透過して表示可能な透過表示部を有し、
前記表示制御手段は、前記第１表示手段における表示を制御する第１表示制御手段と、前記第２表示手段における表示を制御する第２表示制御手段とを含み、
前記第２表示制御手段は、前記当選役選択手段から当選役の選択結果に関する当選役情報信号を受信可能である当選役情報受信手段を含み、該当選役情報受信手段により受信した当選役情報信号に基づいて、前記第２表示手段において前記第１表示手段の表示態様と関連した表示制御を行うように構成することが可能である。
【０１４３】
このような構成とすることにより、当選役情報信号に基づいて、第２表示手段において第１表示手段の表示態様と関連した表示を行うことができ、やみくもに第１表示手段の表示態様と関連した表示が行われるわけではなく、当選役選択手段が所定の当選役を当選した場合に高い確率で、関連した表示を行うので、遊技者はそのような表示があった場合に、そのような表示がない場合よりも高い確率で所定の又は特定の当選役が入賞するかもしれないという期待感を持つことができる。
【０１４４】
また、本発明に係る遊技機において、前記第１表示制御手段は、前記第１表示手段において特定の題材に基づいた演出表示の制御を行い、
前記第２表示制御手段は、前記第２表示手段において前記特定の題材に基づいた演出表示の制御を行う通常状態と、前記特定の題材以外の題材に基づいた演出表示を行う特別状態とを切換可能に構成することが可能である。
【０１４５】
このような構成とすることにより、通常状態と特別状態とが存在し、通常状態のみの表示に較べて、ワンパターンな表示ではなく多彩な表示を遊技者に提供することができ、遊技者が遊技に飽きることがなくなる。もちろん特別状態を複数備えて、選択して表示するように構成することにより、さらに多彩な演出が可能となり、また、その際に所定の又は特定の当選役の期待度に合わせて選択する特別状態を発生させるようにしておくと、所定の又は特定の当選役が入賞するかもしれないという種々の期待感を持つことができる。
【０１４６】
また、本発明に係る遊技機において、前記第２表示制御手段が前記特別状態に切り換えられている場合には、前記通常状態と比較して遊技者にとって有利な利益状態を高確率で発生させるように構成することが可能である。
【０１４７】
このような構成とすることにより、通常状態よりも特別状態の方が高い確率で利益状態を発生させることができるので、遊技者に利益状態発生の可能性を感じさせることができ、ゲーム性に広がりを持たせることが可能となる。
【０１４８】
また、本発明に係る遊技機において、前記当選役選択手段における選択結果を報知する当選役選択結果報知手段を備え、
前記第２表示制御手段は、前記当選役選択手段により選択された当選役に対応する図柄が前記第１表示手段に停止表示された場合に、前記第２表示手段において前記図柄の停止表示位置に対応させて、前記図柄と同等の図柄を表示させる制御を行うように構成することが可能である。
【０１４９】
このような構成とすることにより、第１表示手段と同等の図柄を表示する場合に、いきなり第２表示手段に図柄が表示される場合と比較して、遊技者が違和感なくアニメーションなどの動作を楽しむことができる。
【０１５０】
また、本発明に係る遊技機において、前記第２表示制御手段は、前記第２表示手段において前記第１表示手段の外形に対応した形状で図柄を表示させる制御を行うように構成することが可能である。
【０１５１】
このような構成とすることにより、第１表示手段の外形に対応した形状で図柄を表示することができ、第２表示手段の奥にある表示装置が飛び出してくるような感覚を遊技者に与えることができる。さらに、このような演出を違和感なく遊技者に伝えることができるので、さらに多彩な演出を行うことが可能となる。
【０１５２】
さらに、本発明に係る遊技機では、遊技者は視線を移動させることなく第１表示手段における表示と第２表示手段における表示を同時に視認することができるので、遊技に集中することが可能であるとともに、演出表示を楽しむことが可能となる。
【０１５３】
また、上述した実施形態では、複数の図柄を回転表示する回転リール毎に、透過表示部を設けていたが、本発明はこれに限定されるものではなく、例えば、第２表示手段に対して、複数の図柄を回転表示する複数の回転リール（複数の可変表示部）の１つ、複数又は全てに対して１つの透過表示部を設けてもよい。また。第２表示手段全体が透過表示部であってもよい。さらに、透過表示部の大きさが変化してもよい。
【０１５４】
また、透過表示部は、第１表示手段の表示を透過して表示可能であればよく、その部分に液晶を設けずに、透過性を有する部材など(透明ガラス、透明樹脂など)だけで構成されていてもよい。
【０１５５】
また、第３表示手段として採用するものとしては、第１表示手段及び第２表示手段として採用し得る具体例として記載したものであってもよい。例えば、第３表示手段として、１又は複数の主に演出表示(例えば内部当選役の予告や、特別な利益状態発生の予告・報知等)を行う回転リールを採用してもよい。
【０１５６】
また、第２表示手段の裏又は裏側に、第１表示手段及び第３表示手段を設けるようにしてもよい。もちろん、この場合に、第２表示手段に対して、第３表示手段の表示を遊技者に視認しやすくする又は視認するための透過表示部を設けてもよい。また、第２表示手段の画像と第３表示手段の画像との重合画像を遊技者に視認させるように制御してもよく、その制御が発生した場合は、制御が発生しない場合に較べて高い確率で利益状態が発生するように構成してもよい。このような構成とすることにより、遊技者の期待感を増大させるような演出をさらに含めることが可能となる。
【０１５７】
また、第１表示手段、第２表示手段又は第３表示手段のいずれかを、キャラクタ、図形、人形、動物、昆虫、構造物、魚、乗物などの形状をした１又は複数の可動物としてもよい。例えば、特定の役に内部当選した場合、特定の入賞が発生した場合、未だ入賞してない特定の内部当選した同一役が所定個数以上の場合、特定の画像がその可動物とは異なる表示手段に表示された場合等に、その可動物が回転、揺動、往復、振動などの可動を行うようにしてもよい。また、可動物を複数の部材から構成し、可動物の一部が可動するようにしてもよい。この場合、画像表示装置以外の表示により、さらに一層多彩な演出効果を期待することができる。さらに、可動物による表示と、画像など可変表示との融合という新たな演出を追加することができる。
【０１５８】
また、第１表示制御手段と、第２表示制御手段とを別々の基板により構成してもよい。この場合、基板に異常がある場合、又は破損した場合、いずれか一方の基板のみを交換すればよいので、作業効率および部品費用を低減することができる。なお、両基板を同一の基板として構成してもよく、その場合には一部の電子部品の共通利用などが可能となる。
【０１５９】
また、第１表示制御手段と当選役選択手段とを同じ基板上に構成し、その基板からコマンド信号を送信することにより、第２表示制御手段に指令を出すように構成してもよい。この場合、第１表示制御手段と当選役選択手段とを構成した基板は非常に多数の処理を行わなければならないが、第２表示制御手段は別基板構成となっているので、その分処理に余裕がでる事になり、制御手段に潜むバグを減らすことができる。
【０１６０】
また、表示関連情報信号は、例えば第１表示手段に遊技結果として表示された図柄の一部又は全てを識別可能であれば充分である。具体的には、第１表示手段を複数の回転リールとした場合には、１つの回転リールの下段に、ボーナス図柄が遊技結果として停止表示したという情報を含んでいればよい。また、回転リールに描かれた各図柄に識別番号をつけておき、その番号を含むようにしてもよい。回転リールとは異なる可変表示手段の場合にも、その表示部に表示されている図柄などの態様を識別できれば充分である。さらに、当該図柄などの表示位置を含めることにより、第１表示手段の表示と第２表示手段の表示をさらに融合させることができる。
【０１６１】
また、第３表示手段の表示制御を行う第３表示制御手段を備え、第３表示手段に可変表示又は停止表示している表示態様も同様に第２表示制御手段に知らせるように構成してもよい。
もちろん、第２表示制御手段、第３表示制御手段を同一の基板により構成してもよい。
【０１６２】
また、第１表示手段又は第３表示手段は、上下左右前後方向への移動、往復、誘導振動又は回転など可動してもよい。この場合、透過表示部がその可動に合わせて移動するように構成してもよい。これらの動作により、一層奥の深い演出効果を期待することができ、また、ゲーム性との関連にも応用することができる。
【０１６３】
また、遊技開始指令手段からの複数回の遊技開始指令信号に亘って第１表示手段の表示態様と関連した表示制御を行ってもよい。この場合、特定の利益状態発生への期待感が徐々に近づいてくるように遊技者に感じさせることができ、遊技者が特定の利益状態発生への期待を持続することができる。
【０１６４】
また、通常状態から特別状態に切り替えたゲーム又はそのゲームから所定ゲーム間は「当り」が発生し易くしてもよい。
【０１６５】
また、特定の題材又は特定以外の題材に基づいた演出は、何らかの特徴に少しでも関連している演出であれば、どのようなものであってもよい。例えば、「花火」という題材であれば、三尺玉、一尺玉などの花火そのもの、花火職人などを題材とすることができる。さらに、花火は夏の風物詩であることから、お祭りに関するものなどを含めてもよい。ここでは、特定の題材と遊技者が観念可能であり、しかも特定の題材と、特定の題材以外の題材とを区別して観念できる程度であれば充分に演出効果が得られる。例えば、過去に「コンドル」を題材にした遊技機があり、「花火」を題材にした遊技機に、その「コンドル」を題材にした遊技機の登場キャラクタが表示されれば、遊技者は少し違和感を覚えると思われるが、そのような違和感を覚えさせる程度で充分である。
【０１６６】
また、当選役に対応する図柄が第１表示手段に停止表示された場合に、第２表示手段において前記図柄の停止位置に対応させて、前記図柄と同等の図柄を表示させる場合の対応位置は、前記図柄の停止位置の近傍など、遊技者が関連させて観念できる位置であればどこであってもよい。例えば、第１表示手段を模した画像を、第１表示手段表示とは場所的に離して表示していても、その模した画像の近傍又は画像に含めて前記図柄を表示すれば、遊技者は充分にその画像と、前記図柄の対応関係を認識することが可能と思われる。そのような対応関係を持たせて表示すれば、十分に演出効果を持たせることが可能となる。また、同等の範囲についても、遊技者が認識可能な範囲で関連付けられれば充分であり、例えば、複数のボーナス図柄を備えた遊技機の場合、一つのボーナス図柄が停止表示した際に、そのボーナス図柄とは異なるボーナス図柄を表示するようにしてもよいし、「ボーナス」などの文字、ボーナスをイメージさせる図柄・図形・キャラクタなどを表示してもよい。このような構成とすることにより、さらに演出的効果を増して多彩さを表現できる。
【０１６７】
また、第１表示手段の外形に対応した図形も、遊技者にその画像が第１表示手段に似ていると観念させれば充分であり、大きさ、細かい差異などに左右されるものではない。例えば、第１表示手段が内部に空洞部を有する回転リールである場合には、第２表示手段に内部に空洞のない円筒を表示しても遊技者は充分に観念できる場合がある。
【０１６８】
このように、遊技者が観念可能と考えられる範囲の画像であれば充分であり、また、少し差異を持たせた方が演出が多彩になり好適な場合もある。
【０１６９】
また、第１表示手段の外形に対応した図形が、第２表示手段において弾性を持たせたような変形、拡大、縮小、移動、回転速度変化などを可変表示すれば、遊技者が遊技に飽きることがない。
【０１７０】
もちろんその可変表示態様を複数用意しておき、ゲームの局面(所定の又は特定の当選役が内部当選している場合、当選していなくても演出選択で選ばれた場合、又は所定の利益状態の発生中)に応じていずれかを選択するように構成しても演出が多彩になり好適である。
【０１７１】
また、遊技者により所定の操作がなされる以前に、所定の停止順を決め、その所定の停止順どおりに遊技者がストップスイッチを操作した場合に、内部当選役選択手段が選択した内部当選役に関連した遊技結果を遊技結果表示手段に表示するように制御する場合には、その所定の停止順を報知するために模擬的な回転リールを表示してもよい。例えば、左リール、中リール、右リールの３つの回転リールを有する場合に、その左・中・右リールに対応した３つの模擬的な回転リールを表示し、最終的に内部当選役に関連した遊技結果を遊技結果表示手段に表示させるために、その時点で停止操作しなければならない回転リールに対応した模擬的な回転リールを他の模擬的な回転リールとは異なる態様で表示するようにしてもよい。または、その時点で停止操作しなければならない回転リールに対応した模擬的な回転リールだけを表示してもよい。このような構成とすることにより、遊技者にとってさらに分かりやすいゲーム性を提供することができる。
【０１７２】
また、表示例のパターン１〜４では、模擬的な回転リール夫々に対して一つの図柄しか表示させていないが、複数の図柄を可変表示させるような模擬的な回転リールを表示してもよい。
【図面の簡単な説明】
【０１７３】
【図１】本発明の実施形態に係るパチスロ遊技機の外観を示す斜視図
【図２】回転リール及び液晶表示装置の縦断面を示す模式図
【図３】液晶表示装置を縦断面とした模式図
【図４】液晶表示装置を正面から見た状態の模式図
【図５】表示制御装置の構成を示すブロック図
【図６】表示制御装置における画像表示処理の手順を示すフローチャート
【図７】主割込処理の手順を示すフローチャート
【図８】ＶＤＰ割込処理の手順を示すフローチャート
【図９】同期割込処理の手順を示すフローチャート
【図１０】タイマ割込処理の手順を示すフローチャート
【図１１】表示例のパターン１を示す説明図
【図１２】表示例のパターン２を示す説明図
【図１３】表示例のパターン３を示す説明図
【図１４】表示例のパターン４を示す説明図
【図１５】表示例のパターン５を示す説明図
【符号の説明】
【０１７４】
１  遊技機筐体
２ａ  左側の回転リール
２ｂ  中央の回転リール
２ｃ  右側の回転リール
３ａ  左側の表示窓
３ｂ  中央の表示窓
３ｃ  右側の表示窓
４  遊技メダル投入口
５  ベットスイッチ
６  貯留メダル精算スイッチ
７  スタートスイッチ
８ａ  左側のストップスイッチ
８ｂ  中央のストップスイッチ
８ｃ  右側のストップスイッチ
９ａ〜９ｅ  有効ライン表示
１０ａ〜１０ｃ  有効ラインランプ
１１ａ〜１１ｃ  表示ランプ
１２  遊技メダル払出口
１３  遊技メダル貯留皿
１４  装飾部
１５ａ，１５ｂ  スピーカ
１６  液晶表示装置
１７ａ〜１７ｃ  バックライト
１８ａ，１８ｂ  前方照明装置
１９  液晶パネル
２０  導光板
２１  反射板
２２ａ，２２ｂ  光源
２３ａ〜２３ｃ  透過表示部
２４  不透過領域
３０ａ〜３０ｄ  演出表示
５０  表示制御装置
５１  サブＣＰＵ
５２  ＲＯＭ
５３  ＲＡＭ
５４  ＶＤＰ
５５  ＶＲＡＭ
５６  ＣＲＯＭ
５７  音源ＩＣ
５８  ＳＲＡＭ
６０  主制御基板
７０  ランプ
８０  モータ駆動回路
９０  回転リール位置検出回路
１００  回転リール停止信号回路
１１０ａ〜１１０ｃ  ステッピングモータ
【図１】
2004167246.tif 000003
【図２】
2004167246.tif 000004
【図３】
2004167246.tif 000005
【図４】
2004167246.tif 000006
【図５】
2004167246.tif 000007
【図６】
2004167246.tif 000008
【図７】
2004167246.tif 000009
【図８】
2004167246.tif 000010
【図９】
2004167246.tif 000011
【図１０】
2004167246.tif 000012
【図１１】
2004167246.tif 000013
【図１２】
2004167246.tif 000014
【図１３】
2004167246.tif 000015
【図１４】
2004167246.tif 000016
【図１５】
2004167246.tif 000017